(57)【要約】【課題】対象となる受電電極部材の数を光学的に検出することなく、高周波生成部から出力される高周波と送電電極部材における発振との整合を図り、伝達効率を向上する無線給電装置およびこれを用いた搬送システム、ならびに無線給電装置の制御方法を提供する。【解決手段】受電電極部材１４と送電電極部材１３とは、電界結合によって無線で電力を伝達する。高周波生成部３１は、送電電極部材１３に印加する高周波を生成する。切替整合器３２は、インピーダンスの異なる整合回路４２〜４４を有する。検出回路部３３は、受電電極部材１４の数によって変化する反射波から、高周波生成部３１と送電電極部材１３との整合を検出する。制御部３４は、検出回路部３３で検出した整合に基づき、切替整合器３２の整合回路４２〜４４を切り替える。【選択図】図１
2019068580.tif 000002
【特許請求の範囲】
【請求項１】
送電電極部材（１３）と、
前記送電電極部材（１３）と対向して、前記送電電極部材（１３）との間の静電容量を用いた電界結合によって前記送電電極部材（１３）から無線で電力を受け取る受電電極部材（１４）と、
前記送電電極部材（１３）に印加する高周波の電力を生成する高周波生成部（３１）と、
前記送電電極部材（１３）に接続され、インピーダンスの異なる１つ以上の整合回路（４２〜４４）を有する切替整合器（３２）と、
前記高周波生成部（３１）と前記切替整合器（３２）との間に設けられ、前記受電電極部材（１４）の数によって変化する前記送電電極部材（１３）からの反射波に基づいて、前記高周波生成部（３１）から出力される高周波と前記送電電極部材（１３）における発振との整合を検出する検出回路部（３３）と、
前記検出回路部（３３）で検出した整合に基づいて、前記切替整合器（３２）の前記整合回路（４２〜４４）を切り替える制御部（３４）と、
を備える無線給電装置。
【請求項２】
前記切替整合器（３２）は、１つ以上の前記整合回路（４２〜４４）と前記送電電極部材（１３）との接続を切り替えることにより、段階的にインピーダンスを変更する請求項１記載の無線給電装置。
【請求項３】
前記制御部（３４）は、前記高周波生成部（３１）を停止した後、前記切替整合器（３２）の前記整合回路（４２〜４４）と前記送電電極部材（１３）との接続を切り替え、その後に前記高周波生成部（３１）を再起動する請求項１または２記載の無線給電装置。
【請求項４】
請求項１から３のいずれか一項記載の無線給電装置（１２）と、
前記受電電極部材（１４）を有する移動体（１１）と、を備える搬送システムであって、
前記送電電極部材（１３）は、前記移動体（１１）と対向して、線状に延びる板状に形成され、
前記制御部（３４）は、前記送電電極部材（１３）から電力を受け取る前記移動体（１１）の数によって変化する前記高周波生成部（３１）から出力される高周波と前記送電電極部材（１３）における発振との整合に基づいて、前記切替整合器（３２）の前記整合回路（４２〜４４）を切り替える搬送システム。
【請求項５】
電界共鳴を利用して送電電極部材から移動体の受電電極部材へ無線で電力を供給する無線給電システムの制御方法であって、
前記送電電極部材に対向する前記移動体の台数を初期値として設定する工程と、
設定した前記初期値にあわせて、前記送電電極部材に接続されている整合回路のインピーダンスを設定する工程と、
前記送電電極部材に印加する高周波を生成する高周波生成部の出力と前記送電電極部材の発振とが整合しているか否かを検出する工程と、
前記高周波生成部の出力と前記送電電極部材の発振とが整合していないとき、前記初期値を増減する工程と、
前記初期値を増減しても前記高周波生成部の出力と前記送電電極部材の発振とが整合しないとき、前記高周波生成部を停止する工程と、
を含む無線給電装置の制御方法。
【発明の詳細な説明】
【技術分野】
【０００１】
本発明は、無線給電装置およびこれを用いた搬送システム、ならびに無線給電装置の制御方法に関する。
【背景技術】
【０００２】
電界共鳴を利用した無線給電装置の場合、送電から受電までの整合が電力の伝達効率に大きな影響を与える。仮に送電電極から電力を受け取る受電電極の数が一定であれば、この受電電極の数にあわせた整合回路を設定することにより、電力の伝達効率の最適化が図られる。一方、送電電極から数が変化する複数の対象物へ電力を伝達する場合、対象物の数が変化すると整合にも変化が生じる。
例えば、送電電極から電力を受け取る対象物の数、つまり受電電極の数が変化する場合、送電電極から電力を受け取る受電電極の数を検出する必要がある。そして、検出した受電電極の数にあわせた整合回路の制御が必要となる。この場合、送電電極への進入側および送電電極からの退出側にそれぞれ対象物を検出する光学的な装置を設け、送電電極から電力を受け取る対象物の数を検出することが考えられる。これにより、整合回路は、光学的に検出された対象物の数に基づいて制御される。
【０００３】
しかしながら、光学的に対象物の数を特定する場合、送電電極にあわせて対象物が進入および退出するために特定の進入口および退出口を設ける必要がある。また、電力の伝達を必要としない機器や物体が送電電極に進入すると、これらの機器や物体が誤って検出され、送電電極から電力を受け取る対象物の数を特定できないおそれがある。その結果、対象物の数に合わせた整合回路の制御が困難となり、電力の伝達効率の低下を招くという問題がある。
【先行技術文献】
【特許文献】
【０００４】
【特許文献１】国際公開ＷＯ２０１４／００２１９０号公報
【発明の概要】
【発明が解決しようとする課題】
【０００５】
そこで、本発明の目的は、対象となる受電電極部材の数を光学的に検出することなく、高周波生成部から出力される高周波と送電電極部材における発振との整合を図り、伝達効率を向上する無線給電装置およびこれを用いた搬送システム、ならびに無線給電装置の制御方法を提供することにある。
【課題を解決するための手段】
【０００６】
請求項１または請求項５記載の発明では、制御部は、検出回路部で検出した整合に基づいて、切替整合器の整合回路を切り替える。すなわち、検出回路部は、高周波の電力を生成する高周波生成部と、送電電極部材に接続されている切替整合器との間に設けられている。検出回路部は、受電電極部材の数によって変化する送電電極部材からの反射波に基づいて、高周波生成部から発振される高周波と送電電極部材における発振との整合を検出する。制御部は、検出回路部で整合を検出することにより、これらが整合しているとき、切替整合器において適切な整合回路が選択されていると判断する。一方、制御部は、検出回路部で整合が検出されないとき、切替整合器において適切な整合回路が選択されていないと判断して、整合回路を切り替える。これにより、制御部は、検出回路部で検出した、高周波生成部から発振される高周波と送電電極部材における発振との整合から、これらの整合が図られる適切な整合回路を選択する。したがって、光学的な手段に依存することなく、受電電極部材の数に合わせた整合を図ることができ、伝達効率を向上することができる。
【図面の簡単な説明】
【０００７】
【図１】一実施形態による無線給電装置の概略的な構成を示す模式図
【図２】一実施形態による無線給電装置を適用した搬送システムの構成を示す模式図
【図３】一実施形態による無線給電装置を適用した搬送システムを示す模式図
【図４】一実施形態による無線給電装置の切替整合器の電気的な回路構成を示す概略図
【図５】一実施形態による無線給電装置の検出回路部の電気的な回路構成を示す概略図
【図６】一実施形態による無線給電装置の検出回路部の電気的な回路構成を示す概略図
【図７】一実施形態による無線給電装置において、整合出力と、高周波生成部と送電電極部材との間の整合との関係を説明する概略図
【図８】一実施形態による無線給電装置による処理の流れを示す概略図
【発明を実施するための形態】
【０００８】
以下、無線給電装置の一実施形態について図面に基づいて説明する。
まず、無線給電装置を適用した搬送システムについて説明する。
図２および図３に示すように、搬送システム１０は、移動体１１および無線給電装置１２を備える。無線給電装置１２は、送電電極部材１３および受電電極部材１４を備えている。送電電極部材１３は、例えば工場や倉庫など、搬送システム１０を用いる設備１５に設けられている。移動体１１は、図示しない設備に設定されている走行路１６に沿って移動する。移動体１１は、図２に示すように整流回路部２１、バッテリ２２、制御部２３および駆動部２４を有している。整流回路部２１は、受電電極部材１４で受け取った高周波を直流に整流する。バッテリ２２は、例えばリチウムイオン電池などの二次電池で構成され、整流回路部２１で整流された電力を貯える。制御部２３は、バッテリ２２への充電を制御するとともに、駆動部２４で発生する駆動力を制御する。駆動部２４は、モータ２５および車輪２６を有しており、モータ２５によって車輪２６を回転駆動する。移動体１１は、駆動部２４で発生する駆動力によって走行路１６に沿って移動する。移動体１１は、図３に示すように送電電極部材１３と反対側の端面に荷物などを搭載する荷台２７を有している。
【０００９】
本実施形態の搬送システム１０の場合、送電電極部材１３は、移動体１１が移動する走行路１６の一部に設けられている。移動体１１は、走行路１６に沿って走行する際に、走行路１６の一部に設けられた送電電極部材１３と対向することにより、送電電極部材１３から駆動用の電源となる電力を受け取る。移動体１１は、受電電極部材１４で受け取った電力を、整流回路部２１で整流した後、バッテリ２２に貯える。送電電極部材１３の全長は、１台の移動体１１の全長よりも長く設定されている。送電電極部材１３の全長を延長することにより、２台以上の移動体１１が送電電極部材１３から同時に電力を受け取ることができる。
【００１０】
無線給電装置１２を構成する送電電極部材１３は、一対の並列するレール状に設けられている。送電電極部材１３は、直線状に限らず、設備１５の構造に応じた曲線状や屈曲状であってもよい。送電電極部材１３は、例えばアルミニウム、銅あるいは鉄などの材料で形成され、板状である。無線給電装置１２を構成する受電電極部材１４は、移動体１１に設けられている。受電電極部材１４は、送電電極部材１３と同様に導電性の材料で形成されている。受電電極部材１４は、一対の送電電極部材１３に対応して移動体１１に一対設けられている。受電電極部材１４は、送電電極部材１３と対向している。この場合、送電電極部材１３と受電電極部材１４とは、所定の間隔を形成しつつ非接触で対向している。
【００１１】
このように、送電電極部材１３と受電電極部材１４との間に隙間を形成することにより、これらの間には誘電体となる空気が満たされる。これにより、送電電極部材１３と受電電極部材１４との間には、静電的な容量が確保される。そのため、送電電極部材１３から受電電極部材１４には、電界結合を利用して無線による電力の供給が行なわれる。
【００１２】
次に本実施形態の無線給電装置１２について詳細に説明する。
図１に示すように無線給電装置１２は、上述した送電電極部材１３および受電電極部材１４に加え、高周波生成部３１、切替整合器３２、検出回路部３３および制御部３４を備えている。高周波生成部３１、検出回路部３３および制御部３４は、制御盤３５として構成されている。送電電極部材１３は、高周波生成部３１に接続している。高周波生成部３１は、高周波を生成するＥ級インバータによって構成され、生成した高周波の電力を送電電極部材１３に印加する。高周波生成部３１は、制御用電源３６および主電源３７に接続している。高周波生成部３１は、制御用電源３６から得られた電力によって制御されるとともに、主電源３７から得られた電力を用いて高周波を生成する。なお、高周波生成部３１は、Ｅ級インバータに限らず、高周波を生成可能であれば任意の構成とすることができる。
【００１３】
切替整合器３２は、送電電極部材１３に接続されている。切替整合器３２は、図４に示すように整合回路群４１を有している。整合回路群４１は、コイルおよびコンデンサを含み、特定のインピーダンスに設定されたＬＣ回路である。本実施形態のように無線給電装置１２を搬送システム１０に適用する場合、整合回路群４１を構成する整合回路の数は、送電電極部材１３から電力を受け取り可能な移動体１１の台数にあわせて設定される。図４に示す切替整合器３２は、４台の移動体１１にあわせて３つの整合回路４２、整合回路４３、整合回路４４を有している。整合回路４２は、コイル４２１、コンデンサ４２２およびスイッチ４２３を有している。同様に、整合回路４３は、コイル４３１、コンデンサ４３２およびスイッチ４３３を有している。整合回路４４は、コイル４４１、コンデンサ４４２およびスイッチ４４３を有している。スイッチ４２３、スイッチ４３３およびスイッチ４４３は、機械的なスイッチでもよく、スイッチング素子などの電子的なスイッチでもよい。スイッチ４２３、スイッチ４３３およびスイッチ４４３は、制御部３４によってオンまたはオフが制御される。
【００１４】
例えば、送電電極部材１３と対向する移動体１１の数が１台のとき、整合回路４２のスイッチ４２３、整合回路４３のスイッチ４３３、および整合回路４４のスイッチ４４３はすべてオフされる。これに対し、送電電極部材１３と対向する移動体１１の数が２台のとき、整合回路４２のスイッチ４２３がオンされる。また、送電電極部材１３と対向する移動体１１の数が３台のとき、整合回路４３のスイッチ４３３がオンされる。さらに、送電電極部材１３と対向する移動体１１の数が４台のとき、整合回路４４のスイッチ４４３がオンされる。このように、切替整合器３２は、整合回路４２のスイッチ４２３、整合回路４３のスイッチ４３３および整合回路４４のスイッチ４４３をオンまたはオフすることにより、送電電極部材１３と対向する移動体１１の数に合わせてインピーダンスを変更する。なお、上記の切替整合器３２の構成は一例であり、整合回路群４１の構成、移動体１１および整合回路４２〜４４の数、ならびに移動体１１にあわせて組み合わせる整合回路４２〜４４などは、いずれも任意に変更することができる。
【００１５】
検出回路部３３は、図１に示すように高周波生成部３１と切替整合器３２との間に設けられている。検出回路部３３は、図５に示すような回路構成、または図６に示すような回路構成を有している。検出回路部３３は、高周波生成部３１から出力される高周波と、送電電極部材１３における高周波の発振との整合を検出する。具体的には、検出回路部３３は、受電電極部材１４の数すなわち移動体１１の数によって整合が変化する送電電極部材１３からの反射波の出力に基づいて、高周波生成部３１と送電電極部材１３との間の整合を検出する。以下、反射波の出力は、「整合出力」という。
【００１６】
図７に示すように、整合出力は、高周波生成部３１と送電電極部材１３との整合の有無によって変化する。すなわち、整合出力は、高周波生成部３１と送電電極部材１３とが整合しているとき、低出力Ｐ１となる。一方、整合出力は、高周波生成部３１と送電電極部材１３とが整合していないとき、低出力Ｐ１よりも大きな高出力Ｐ２となる。例えば、送電電極部材１３から電力を受け取る移動体１１の数と切替整合器３２の整合回路４２〜４４のインピーダンスとが整合しているとき、整合出力は低出力Ｐ１となる。検出回路部３３は、この整合出力を検出することにより、高周波生成部３１から出力される高周波と送電電極部材１３における高周波の発振とが整合しているか否か、すなわち切替整合器３２の整合回路４２〜４４のインピーダンスと移動体１１の数とが整合しているか否かを検出する。検出回路部３３は、検出した整合出力を制御部３４へ出力する。
【００１７】
制御部３４は、ＣＰＵ、ＲＯＭおよびＲＡＭを有するマイクロコンピュータで構成されている。制御部３４は、ＲＯＭに記憶されたコンピュータプログラムを実行することにより、ソフトウェア的に切替整合器３２を制御する。なお、制御部３４は、ハードウェア的またはソフトウェアとハードウェアとの協働によって切替整合器３２を制御してもよい。制御部３４は、検出回路部３３で検出された整合出力に基づいて、切替整合器３２の整合回路４２のスイッチ４２３、整合回路４３のスイッチ４３３、整合回路４４のスイッチ４４３を切り替える。
【００１８】
次に、上記の構成による無線給電装置１２における制御部３４の処理の流れを図８に基づいて説明する。
処理が開始されると、制御部３４は、送電電極部材１３から電力を受け取る受電電極部材１４の数を初期値Ｎｕｍに初期化する（Ｓ１０１）。この場合、受電電極部材１４の数は、移動体１１の数に一致する。すなわち、制御部３４は、走行路１６を走行する移動体１１のうち、充電のために送電電極部材１３から電力を受け取る移動体１１の数を初期値Ｎｕｍと設定する。この初期値Ｎｕｍは、送電電極部材１３から電力を受け取り可能な移動体１１の数にあわせて任意に設定される。本実施形態のように送電電極部材１３から４台の移動体１１に電力を供給する場合、制御部３４は初期値ＮｕｍをＮｕｍ＝１またはＮｕｍ＝２などのように設定する。制御部３４は、移動体１１の数の初期値Ｎｕｍにあわせて、切替整合器３２における整合回路４２〜４４を初期値Ｎｕｍに設定する（Ｓ１０２）。すなわち、制御部３４は、切替整合器３２における整合回路４２〜４４のインピーダンスを、Ｓ１０１で設定した移動体１１の数の初期値Ｎｕｍに合わせる。
【００１９】
制御部３４は、検出回路部３３から出力される整合出力を取得する（Ｓ１０３）。そして、制御部３４は、取得した整合出力が低出力Ｐ１であるか否かを判断する（Ｓ１０４）。制御部３４は、取得した整合出力が低出力Ｐ１であると判断したとき（Ｓ１０４：Ｙｅｓ）、Ｓ１０３へリターンし、整合出力の取得を継続する。すなわち、検出回路部３３から出力された整合出力が低出力Ｐ１であるとき、Ｓ１０１で設定した移動体１１の数の初期値ＮｕｍとＳ１０２で設定した切替整合器３２における整合回路４２〜４４の初期値Ｎｕｍとは整合している。そのため、切替整合器３２において設定されている整合回路４２〜４４は、充電の対象として送電電極部材１３と対向する移動体１１の数に合致したものとなっている。したがって、制御部３４は、整合出力に変化が生じるまで整合出力の監視を継続する。例えば、送電電極部材１３に新たな移動体１１が進入し、送電電極部材１３から電力を受け取る移動体１１の数が変化すると、整合出力に変化が生じる。制御部３４は、この整合出力の変化まで待機する。
【００２０】
一方、制御部３４は、Ｓ１０３で取得した整合出力が低出力Ｐ１でないと判断したとき（Ｓ１０４：Ｎｏ）、切替整合器３２における整合回路４２〜４４を設定値Ｎｕｍ＋１に変更する（Ｓ１０５）。すなわち、制御部３４は、移動体１１の数と切替整合器３２の整合回路４２〜４４とが整合しておらず、取得した整合出力が高出力Ｐ２であると判断する。そこで、制御部３４は、切替整合器３２における整合回路４２〜４４を、初期値Ｎｕｍよりも１つ大きなＮｕｍ＋１にあわせて切り替える。言い換えると、制御部３４は、切替整合器３２における整合回路４２〜４４を、移動体１１の数Ｎｕｍ＋１に対応するインピーダンスとなる整合回路４２〜４４に切り替える。そして、制御部３４は、切替整合器３２における整合回路４２〜４４を切り替えた後、検出回路部３３から出力される整合出力を取得し（Ｓ１０６）、取得した整合出力が低出力Ｐ１であるか否かを判断する（Ｓ１０７）。
【００２１】
制御部３４は、取得した整合出力が低出力Ｐ１であると判断したとき（Ｓ１０７：Ｙｅｓ）、整合回路４２〜４４の初期値ＮｕｍをＮｕｍ＝Ｎｕｍ＋１に更新する（Ｓ１０８）。すなわち、Ｓ１０２で設定した整合回路４２〜４４の初期値Ｎｕｍは、Ｓ１０１で設定した移動体１１の数の初期値Ｎｕｍに一致していなかったことになる。つまり、Ｓ１０１で設定した移動体１１の数の初期値Ｎｕｍに一致する整合回路４２〜４４の初期値は、Ｎｕｍ＋１であったことになる。そこで、制御部３４は、整合回路４２〜４４の初期値Ｎｕｍを、Ｎｕｍ＝Ｎｕｍ＋１に更新する。そして、制御部３４は、更新した初期値Ｎｕｍを用いてＳ１０２以降の処理を継続する。
【００２２】
制御部３４は、Ｓ１０６で取得した整合出力が低出力Ｐ１でないと判断したとき（Ｓ１０７：Ｎｏ）、切替整合器３２における整合回路４２〜４４を設定値Ｎｕｍ−１に変更する（Ｓ１０９）。すなわち、制御部３４は、移動体１１の数と切替整合器３２の整合回路４２〜４４とが整合しておらず、取得した整合出力が高出力Ｐ２であると判断する。そこで、制御部３４は、切替整合器３２における整合回路４２〜４４を、初期値Ｎｕｍよりも１つ小さなＮｕｍ−１にあわせて切り替える。言い換えると、制御部３４は、切替整合器３２における整合回路４２〜４４を、移動体１１の数Ｎｕｍ−１に対応するインピーダンスの整合回路４２〜４４に切り替える。そして、制御部３４は、切替整合器３２における整合回路４２〜４４を切り替えた後、検出回路部３３から出力される整合出力を取得し（Ｓ１１０）、取得した整合出力が低出力Ｐ１であるか否かを判断する（Ｓ１１１）。
【００２３】
制御部３４は、Ｓ１１１で取得した整合出力が低出力Ｐ１であると判断したとき（Ｓ１１１：Ｙｅｓ）、整合回路４２〜４４の初期値ＮｕｍをＮｕｍ＝Ｎｕｍ−１に更新する（Ｓ１１２）。すなわち、Ｓ１０２で設定した整合回路４２〜４４の初期値Ｎｕｍは、Ｓ１０１で設定した移動体１１の数の初期値Ｎｕｍに一致していなかったことになる。つまり、Ｓ１０１で設定した移動体１１の数の初期値Ｎｕｍに一致する整合回路４２〜４４の初期値は、Ｎｕｍ−１であったことになる。そこで、制御部３４は、整合回路４２〜４４の初期値Ｎｕｍを、Ｎｕｍ＝Ｎｕｍ−１に更新する。そして、制御部３４は、更新した初期値Ｎｕｍを用いてＳ１０２以降の処理を継続する。
【００２４】
制御部３４は、Ｓ１１０で取得した整合出力が低出力Ｐ１でないと判断したとき（Ｓ１１１：Ｎｏ）、高周波生成部３１からの高周波の生成を停止する（Ｓ１１３）。すなわち、制御部３４は、移動体１１の数と切替整合器３２の整合回路４２〜４４とが整合しておらず、取得した整合出力が高出力Ｐ２であると判断する。このように、Ｎｕｍ±１であっても整合がないとき、制御部３４は、初期値Ｎｕｍの設定に誤りがあるか、または機器の短絡などを想定する。したがって、制御部３４は、高周波生成部３１を停止し、初期値Ｎｕｍの再設定および機器の点検を促す。
以上の手順によって、制御部３４は、検出回路部３３で検出する整合出力に基づいて、移動体１１の数と切替整合器３２の整合回路４２〜４４との整合を図る。
【００２５】
以上説明した一実施形態では、制御部３４は、検出回路部３３で検出した整合出力に基づいて、切替整合器３２の整合回路４２〜４４を切り替える。検出回路部３３は、受電電極部材１４の数によって変化する送電電極部材１３からの整合出力に基づいて、高周波生成部３１から発振される高周波と送電電極部材１３における発振との整合を検出する。制御部３４は、検出回路部３３で整合を検出することにより、これらが整合しているとき、切替整合器３２において適切な整合回路４２〜４４が選択されていると判断する。一方、制御部３４は、検出回路部３３で整合が検出されないとき、切替整合器３２において適切な整合回路４２〜４４が選択されていないと判断して、整合回路４２〜４４を切り替える。これにより、制御部３４は、検出回路部３３で検出した、高周波生成部３１から発振される高周波と送電電極部材１３における発振との整合から、これらの整合が図られる適切な整合回路４２〜４４を選択する。したがって、光学的な手段に依存することなく、対象となる受電電極部材１４の数に合わせて整合を図ることができ、伝達効率を向上することができる。
【００２６】
また、一実施形態では、切替整合器３２は、インピーダンスの異なる複数の整合回路４２〜４４を有している。そして、切替整合器３２は、１つ以上の整合回路４２〜４４と送電電極部材１３との接続を切り替えることにより、インピーダンスを段階的に変更する。そのため、送電側の切替整合器３２でインピーダンスが変更され、受電側においては整合のための処理が不要である。したがって、１つの送電電極部材１３に対して１つ以上の受電電極部材１４が電力の供給を受ける場合でも、簡単な構成で整合を図ることができる。さらに、一実施形態の場合、高周波生成部３１と送電電極部材１３との間の整合は、段階的なインピーダンスの変化を含む整合回路４２〜４４の切り替えで達成される。したがって、連続的に整合を図る場合と比較して、制御を容易にすることができる。
【００２７】
一実施形態では、無線給電装置１２を搬送システム１０に適用している。搬送システム１０の場合、充電のために送電電極部材１３から電力の供給を受ける移動体１１は、その数が刻々と変化する。このように送電電極部材１３から電力を受ける移動体１１の数が刻々と変化する場合でも、整合出力に基づく整合回路４２〜４４の切り替えという処理によって、高周波生成部３１と送電電極部材１３との整合が図られる。送電電極部材１３から電力を受ける移動体１１の数は、送電電極部材１３の全長に相関する整数となり、既知の値となる。そのため、整合回路４２〜４４の数は、この移動体１１の数に合わせて設定される。これにより、移動体１１の数によって高周波生成部３１と送電電極部材１３との整合が変化する場合でも、整合出力に基づいて切替整合器３２の整合回路４２〜４４を切り替えることにより、高周波生成部３１と送電電極部材１３との整合が容易に図られる。したがって、複雑な処理や構成を必要とすることなく、安全で効率の高い電力の伝達を達成することができる。
【００２８】
また、一実施形態の搬送システム１０では、整合出力に基づいて移動体１１の数にあわせた高周波生成部３１と送電電極部材１３との整合が図られる。そのため、フォトディテクタなどの光学的な検出装置を必要としない。これにより、設備１５に搬送システム１０を設置する場合、光学的な検出を起因とする誤検出、および誤検出にともなう整合の破綻が回避される。したがって、人や物体の移動が生じやすい設備においても、それらの影響を排除することができ、安全で効率の高い電力の伝達を達成することができる。
【００２９】
（その他の実施形態）
以上説明した本発明は、上記実施形態に限定されるものではなく、その要旨を逸脱しない範囲で種々の実施形態に適用可能である。
上述の一実施形態では、切替整合器３２における整合回路４２〜４４の切り替えは、高周波生成部３１を停止することなく行なっている。しかし、図８に示すＳ１０５、Ｓ１０９において整合回路４２〜４４を変更するとき、その変更の前に高周波生成部３１を停止し、変更の後に高周波生成部３１を再起動する構成としてもよい。このように整合回路４２〜４４を切り替えるとき、高周波生成部３１を停止するとともに、切り替え後に高周波生成部３１を再起動することにより、例えば過渡期における突入電流などの発生が低減される。したがって、さらなる安全性の向上および機器の耐久性の向上を図ることができる。
【００３０】
本開示は、実施例に準拠して記述されたが、本開示は当該実施例や構造に限定されるものではないと理解される。本開示は、様々な変形例や均等範囲内の変形をも包含する。加えて、様々な組み合わせや形態、さらには、それらに一要素のみ、それ以上、あるいはそれ以下、を含む他の組み合わせや形態をも、本開示の範疇や思想範囲に入るものである。
【符号の説明】
【００３１】
図面中、１０は搬送システム、１１は移動体、１２は無線給電装置、１３は送電電極部材、１４は受電電極部材、３１は高周波生成部、３２は切替整合器、３３は検出回路部、３４は制御部、４２〜４４は整合回路を示す。
【図１】
2019068580.tif 000003
【図２】
2019068580.tif 000004
【図３】
2019068580.tif 000005
【図４】
2019068580.tif 000006
【図５】
2019068580.tif 000007
【図６】
2019068580.tif 000008
【図７】
2019068580.tif 000009
【図８】
2019068580.tif 000010